(57)【要約】【課題】いずれの誘導状態となっているか遊技者が容易に認識できるようにする。【解決手段】第１遮断誘導部材８０ａ及び第２遮断誘導部材８０ｂは、一般入賞口誘導状態及び継続入賞口誘導状態との間を変位可能であり、第１遮断誘導部材８０ａ／第２遮断誘導部材８０ｂは、通路部８４のうち一般入賞口７２ａ／継続入賞口７２ｂに向かう部分を遮断する遮断位置とそれらを遮断しない非遮断位置との間を上下動可能であり、一般入賞口誘導状態においては第１遮断誘導部材８０ａが非遮断位置にあるとともに第２遮断誘導部材８０ｂが遮断位置にあって第２遮断誘導部材８０ｂの少なくとも一部が遊技者によって視認可能の位置関係にあり、継続入賞口誘導状態においてはその逆の状態にある。【選択図】　　図８
2004033482.tif 000002
【特許請求の範囲】
【請求項１】
所定の条件が満たされることに基づいて開状態となる開閉扉を有する、パチンコ機の入賞装置であって、
開状態の前記開閉扉を通って遊技球が進入する通路部と、
前記通路部の奥側に設けられた第１入賞口及び第２入賞口と、
前記通路部に対して設けられた第１遮断部材及び第２遮断部材とを有し、
前記第１遮断部材及び前記第２遮断部材は、第１入賞口誘導状態及び第２入賞口誘導状態との間を変位可能であり、
前記第１遮断部材は、前記通路部のうち前記第１入賞口に向かう部分を遮断する遮断位置と当該部分を遮断しない非遮断位置との間を上下動可能であり、
前記第２遮断部材は、前記通路部のうち前記第２入賞口に向かう部分を遮断する遮断位置と当該部分を遮断しない非遮断位置との間を上下動可能であり、
前記第１入賞口誘導状態においては、前記第１遮断部材が前記非遮断位置にあるとともに前記第２遮断部材が前記遮断位置にあり、前記第２遮断部材の少なくとも一部が遊技者によって視認可能である位置関係にあり、
前記第２入賞口誘導状態においては、前記第１遮断部材が前記遮断位置にあるとともに前記第２遮断部材が前記非遮断位置にあり、前記第１遮断部材の少なくとも一部が遊技者によって視認可能である位置関係にある、
パチンコ機の入賞装置。
【請求項２】
請求項１に記載のパチンコ機の入賞装置であって、
前記第１遮断部材は、前記遮断位置にある状態において遊技球を第２入賞口に誘導する誘導部を有し、
前記第２遮断部材は、前記遮断位置にある状態において遊技球を第１入賞口に誘導する誘導部を有する、
パチンコ機の入賞装置。
【発明の詳細な説明】
【０００１】
【発明の属する技術分野】
本発明は、パチンコ機における入賞装置に関するものである。
【０００２】
【従来の技術】
従来、パチンコ機の入賞装置として、特開平１１−２０６９８０公報に記載されているものがある。
その入賞装置では、開閉板（開閉扉）の内側に、奥側に向かうにつれて下方に向かう緩斜面状の玉通路片が設けられ、その奥側に、セーフ玉誘導片（球誘導部材）が鉛直の回動軸線を中心に回動可能に設けられている。さらにその奥側の左右の両側には、普通入賞口（第１入賞口）及び継続入賞口（第２入賞口）が設けられている。セーフ玉誘導片は、回動することによって、いずれかの入賞口に対応する。
そして、緩斜面状の玉通路片によって奥側に向かおうとするパチンコ球が、セーフ玉誘導片によって、いずれかの入賞口に誘導される。
【０００３】
【発明が解決しようとする課題】
ところで、上述の入賞装置では、セーフ球誘導片（球誘導部材）が鉛直の回動軸線を中心にわずかに回動するのみで普通入賞口誘導状態と継続入賞口誘導状態との間の切り換えが行われるため、遊技者にとっては、現在いずれの誘導状態となっているか認識（視認）しずらい。
このため、パチンコ球がいずれの入賞口に入賞してそれによって次にどんな動作があるかを予想することが遊技者には困難であり、上述の入賞装置はその点で遊技者に興趣を与えることが困難である。
【０００４】
そこで、本発明は、いずれの誘導状態となっているか遊技者が容易に認識できるパチンコ機の入賞装置を提供することを目的とする。
【０００５】
【課題を解決するための手段】
上記の目的を達成するために、請求項１に係る発明は、所定の条件が満たされることに基づいて開状態となる開閉扉を有する、パチンコ機の入賞装置であって、開状態の前記開閉扉を通って遊技球が進入する通路部と、前記通路部の奥側に設けられた第１入賞口及び第２入賞口と、前記通路部に対して設けられた第１遮断部材及び第２遮断部材とを有し、前記第１遮断部材及び前記第２遮断部材は、第１入賞口誘導状態及び第２入賞口誘導状態との間を変位可能であり、前記第１遮断部材は、前記通路部のうち前記第１入賞口に向かう部分を遮断する遮断位置と当該部分を遮断しない非遮断位置との間を上下動可能であり、前記第２遮断部材は、前記通路部のうち前記第２入賞口に向かう部分を遮断する遮断位置と当該部分を遮断しない非遮断位置との間を上下動可能であり、前記第１入賞口誘導状態においては、前記第１遮断部材が前記非遮断位置にあるとともに前記第２遮断部材が前記遮断位置にあり、前記第２遮断部材の少なくとも一部が遊技者によって視認可能である位置関係にあり、前記第２入賞口誘導状態においては、前記第１遮断部材が前記遮断位置にあるとともに前記第２遮断部材が前記非遮断位置にあり、前記第１遮断部材の少なくとも一部が遊技者によって視認可能である位置関係にある、パチンコ機の入賞装置である。
【０００６】
ここで、第１遮断部材の「当該部分を遮断しない非遮断位置」とは、遮断位置よりも下降して当該第１遮断部材の上端部が通路部（その底面）と同一高さ位置又はそれよりも下に位置する場合と、遮断位置よりも上昇して当該第１遮断部材の下端部と通路部（その底面）との間に遊技球が通過可能な間隔がある場合とがあり得る。第２遮断部材についても同様である。
【０００７】
上記発明のパチンコ機の入賞装置では、次の作用効果が得られる。
第１遮断部材及び第２遮断部材が第１入賞口誘導状態にある際には、第１遮断部材が非遮断位置に位置し第２遮断部材が遮断位置に位置するため、開状態の開閉扉を通って進入する遊技球は、第２入賞口に入賞することが阻止され、第１入賞口に入賞することが許容され、遊技球は第１入賞口に入賞することとなる。
一方、第１遮断部材及び第２遮断部材が第２入賞口誘導状態にある際には、第１遮断部材が遮断位置に位置し第２遮断部材が非遮断位置に位置するため、開状態の開閉扉を通って進入する遊技球は、第１入賞口に入賞することが阻止され、第２入賞口に入賞することが許容され、遊技球は第２入賞口に入賞することとなる。
【０００８】
そして、第１遮断部材及び第２遮断部材が第１入賞口誘導状態と第２入賞口誘導状態との間を変位する際には、第１遮断部材は非遮断位置と遮断位置との間を上下動し、第２遮断部材は遮断位置と非遮断位置との間を上下動する。
それとともに、第１入賞口誘導状態においては第２遮断部材の少なくとも一部が遊技者によって視認可能であり、第２入賞口誘導状態においては第１遮断部材の少なくとも一部が遊技者によって視認可能である。すなわち、遊技者は、第１遮断部材及び第２遮断部材の上述の上下動を視認することができる。
このため、第１入賞口誘導状態及び第２入賞口誘導状態のいずれの状態にあるか（又は、いずれの状態になった）について遊技者が容易に認識することが可能であり、上記発明のパチンコ機の入賞装置は、その点で遊技者に対して興趣を与えることが可能となる。
【０００９】
請求項２に係る発明のパチンコ機の入賞装置は、請求項１に係る発明のパチンコ機の入賞装置であって、前記第１遮断部材は、前記遮断位置にある状態において遊技球を第２入賞口に誘導する誘導部を有し、前記第２遮断部材は、前記遮断位置にある状態において遊技球を第１入賞口に誘導する誘導部を有する、パチンコ機の入賞装置である。
【００１０】
上記発明のパチンコ機の入賞装置では、請求項１に係る発明のパチンコ機の入賞装置の作用効果に加えて、次の作用効果が得られる。
すなわち、第１入賞口誘導状態においては、通路部のうち第２入賞口に向かう部分が第２遮断部材によって遮断されるとともに、第２遮断部材の誘導部によって遊技球は第１入賞口に誘導される。このため、遊技球はより確実に第１入賞口に入賞する。
一方、第２入賞口誘導状態においては、通路部のうち第１入賞口に向かう部分が第１遮断部材によって遮断されるとともに、第１遮断部材の誘導部によって遊技球は第２入賞口に誘導される。このため、遊技球はより確実に第２入賞口に入賞する。
このように、この発明のパチンコ機の入賞装置では、より確実に遊技球が所定の入賞口に入賞する。
【００１１】
【発明の実施の形態】
次に、本発明の一実施形態を図面に基づいて説明する。
図１に示すように、このパチンコ機は、ほぼ鉛直な遊技盤１０を有し、その下方には、ハンドル１２，発射装置（図示省略），賞球払い出し装置（図示省略）が設けられている。
遊技盤１０には、多数の釘（図示省略），複数の風車（符号省略）等が設けられている。
また、このパチンコ機には、後述する各種の動作の制御をする制御装置（図示省略）が設けられている。
【００１２】
そして、遊技者によってハンドル１２が操作されることに基づいて、パチンコ球（遊技球）は、発射装置から発射されて遊技盤１０へ流入する。後述する各種の入賞口にパチンコ球が入った（これを入賞という）場合には、例えば１５個のパチンコ球が賞球として賞球払い出し装置から払い出される。
【００１３】
遊技盤１０のほぼ中央にはセンター役物２０が設けられている。センター役物２０には、表示部（符号省略）が設けられている。センター役物２０の下方には始動入賞口２２が設けられ、その下方には入賞装置３０（図２参照）が設けられている。
【００１４】
入賞装置３０は、次のような構造を有している。
図３及び図４に示すように、入賞装置３０は、手前側から奥側に向かって、取付板４０，手前側箱枠６０，奥側箱枠７０，ソレノイド取付板９０を有している。それらは、ビス（図示省略）によって結合されている。
【００１５】
図３に示すように、取付板４０はほぼ鉛直平面状をなしており、ビス（図示省略）によって遊技盤１０（そのおもて面）に対して密着状態で取り付けられる。
取付板４０には、ほぼ横長の長方形状の開口部４５が形成されている。
【００１６】
開口部４５に対して、開閉扉５０が次のように開閉可能に取り付けられている。開閉扉５０には一対の回動軸部５１が設けられ、一対の回動軸部５１は、手前側箱枠６０の溝部６１において回動可能に保持される。開閉扉５０には作用軸５９が設けられている。
【００１７】
開閉扉５０に伴って、ソレノイド取付板９０にはソレノイド５３が設けられ、ソレノイド５３に対してプランジャ５４が出没可能（上下方向に移動可能）に設けられている。プランジャ５４には連結材５５が連結され、連結材５５は奥側箱枠７０の挿通孔７１を貫通し、連結材５５に形成された嵌合溝５７に開閉扉５０の作用軸５９が嵌合されている。
プランジャ５４は圧縮スプリング５６によって下方に付勢されており、ソレノイド５３が非励磁状態の際には、プランジャ５４が突出した状態にあり、連結材５５は下方に位置し、開閉扉５０は閉じた状態にある。
一方、ソレノイド５３が励磁状態にされることによって、プランジャ５４が圧縮スプリング５６の付勢力に抗して没入した状態になり、連結材５５は上方に位置し、開閉扉５０が開く。
【００１８】
手前側箱枠６０は、取付板４０の開口部４５に対応して、その中央に開口部６２を有している。開口部６２は開口部４５よりも間口が若干狭く形成されている。
【００１９】
図３，図４，図８，図９に示すように、手前側箱枠６０の開口部６２に対応して、手前側通路部６４が形成されている。手前側通路部６４（その底面）は、手前側から奥側に向かうにつれて徐々に下方に向かうように傾斜している。手前側通路部６４（その底面）の奥側の縁部は、その幅方向の両端部から中央部に向かうにつれて奥側に向かうように形成されている。
手前側通路部６４の奥側の縁部の両端部には、ガイド部６５ａ，６５ｂが形成されている。両ガイド部６５ａ，６５ｂは奥側に向かって突出している。
【００２０】
手前側通路部６４の奥側には、奥側通路部７４が設けられている。奥側通路部７４の手前側の縁部は、手前側通路部６４の奥側の縁部に対応して、その幅方向の両端部から中央部に向かうにつれて奥側に向かうように形成されている。手前側通路部６４及び奥側通路部７４によって通路部８４が形成される。
【００２１】
図３に示すように、奥側通路部７４の手前側には、隣接する一対の奥側ガイド面７７ａ，７７ｂが形成されている。両奥側ガイド面７７ａ，７７ｂは、奥側通路部７４の手前側の縁部から鉛直下方に向けて形成されている。
各奥側ガイド面７７ａ，７７ｂは、奥側通路部７４の手前側の縁部に対応して、鈍角の頂点状の両奥側ガイド面７７ａ，７７ｂの境界部分から離隔する方向に向かうにつれて徐々に手前側に向かうように斜面状に形成されている。
図４に示すように、手前側通路部６４（その奥側の縁部）と奥側通路部７４（奥側ガイド面７７ａ，７７ｂ（図３参照））との間には、一対の空隙部６７ａ，６７ｂが形成されている。
【００２２】
図３，図４，図８，図９に示すように、奥側通路部７４の奥側には、一対の入賞口が設けられている。右側の入賞口が一般入賞口７２ａ（本発明の第１入賞口に該当する）であり、左側の入賞口が継続入賞口７２ｂ（本発明の第２入賞口に該当する）である。
一般入賞口７２ａ及び継続入賞口７２ｂには、各々検出センサ（図示省略）が伴っており、一般入賞口７２ａ／継続入賞口７２ｂを流れるパチンコ球Ｂ（その数）が検出される。
【００２３】
一対の入賞口（一般入賞口７２ａ及び継続入賞口７２ｂ）に対応して、一対の遮断誘導部材（第１遮断誘導部材８０ａ，第２遮断誘導部材８０ｂ）が上下動可能に設けられている。
両遮断誘導部材８０ａ，８０ｂは、ともに、鉛直の長方形状をしている。
第１遮断誘導部材８０ａ，第２遮断誘導部材８０ｂは、各々、空隙部６７ａ，６７ｂ（前述のように、手前側通路部６４の奥側の縁部と奥側通路部７４の手前側の縁部との間に形成される）に各々配設されている。
【００２４】
すなわち、第１遮断誘導部材８０ａは通路部８４（手前側通路部６４及び奥側通路部７４）のうち一般入賞口７２ａに向かう部分に位置し、第２遮断誘導部材８０ｂは同じく継続入賞口７２ｂに向かう部分に位置している。
第１遮断誘導部材８０ａ及び第２遮断誘導部材８０ｂは、ともに、通路部８４（手前側通路部６４及び奥側通路部７４）の幅方向における各端部から中央部に向かうにつれて、手前側から奥側に向かうように、通路部８４の幅方向から傾斜している。このため、各遮断誘導部材８０ａ，８０ｂの前面は誘導面８８ａ，８８ｂに該当し、後述するようにパチンコ球Ｂを誘導する。誘導面８８ａ，８８ｂは、本発明の各誘導部に該当する。
【００２５】
第１遮断誘導部材８０ａ（本発明の第１遮断部材に該当する）は、後述する機構によって、非遮断位置（図８参照）と遮断位置（図９参照）との間をほぼ鉛直に上下動可能である。
図９に示すように、遮断位置は、第１遮断誘導部材８０ａの上端部が通路部８４（その底面）から上方に突出して通路部８４のうち一般入賞口７２ａに向かう部分を遮断する位置であり、図８に示すように、非遮断位置は、第１遮断誘導部材８０ａの上縁部が通路部８４（その底面）とほぼ同一高さにあり通路部８４の当該部分を遮断しない位置である。
【００２６】
第２遮断誘導部材８０ｂ（本発明の第２遮断部材に該当する）も、後述する機構によって、遮断位置（図８参照）と非遮断位置（図９参照）との間を上下動可能である。
図８に示すように、遮断位置は、第２遮断誘導部材８０ｂの上端部が通路部８４（その底面）から上方に突出して通路部８４のうち継続入賞口７２ｂに向かう部分を遮断する位置であり、図９に示すように、非遮断位置は、第２遮断誘導部材８０ｂの上縁部が通路部８４（その底面）とほぼ同一高さにあり通路部８４の当該部分を遮断しない位置である。
【００２７】
図３に示すように、第１遮断誘導部材８０ａ及び第２遮断誘導部材８０ｂには、各々、一対の嵌合棒部８１ａ，８１ｂが形成されている。各嵌合棒部８１ａ，８１ｂは、各第１遮断誘導部材８０ａ，８０ｂの手前側の面から手前側方向に水平に延びている。
【００２８】
図３，図５，図６に示すように、両遮断誘導部材８０ａ，８０ｂに対応して、幅方向移動部材８５が配設されている。幅方向移動部材８５は、この入賞装置３０の幅方向に延びており、奥側通路部６４（正確には、それを構成する部材）の下側において、この入賞装置３０の幅方向に移動可能に配設されている。
幅方向移動部材８５の一端部には嵌合部８６が形成されている。
【００２９】
一方、図３に示すように、ソレノイド取付板９０には、ソレノイド９１が取り付けられている。ソレノイド９１にはプランジャ９２が出没可能（入賞装置３０の奥行方向に移動可能）に設けられており、プランジャ９２は圧縮スプリング９３によってソレノイド９１から突出する方向に付勢されている。
図３，図５，図６に示すように、プランジャ９２には奥行方向移動部材９４が連結されている。奥行方向移動部材９４には、鉛直方向に延びる連結軸９５が設けられている。
【００３０】
奥行方向移動部材９４と幅方向移動部材８５との間には、回動部材９６が配設されている。
回動部材９６は嵌合孔９７を有しており、図３に示すように、奥側箱枠７０には鉛直に延びる回動中心軸７９が位置固定的に形成されている。そして、図３，図５，図６に示すように、嵌合孔９７に回動中心軸７９が相対的に回動可能に嵌合されることによって、回動部材９６は回動中心軸７９を中心に回動可能とされている。
【００３１】
回動部材９６は、嵌合孔９７を中心にほぼ９０度の角度間隔を隔てて２方向に延びており、一方の端部に嵌合孔９８が形成され、他方の端部に連結軸９９が形成されている。
嵌合孔９８に奥行方向移動部材９４の連結軸９５が相対的に回動可能に嵌合されて、回動部材９６が奥行方向移動部材９４に対して連結されている。
連結軸９９は回動部材９６から下方に延びており、幅方向移動部材８５の嵌合部８６に対して相対的に回動可能に嵌合されている。
【００３２】
以上のため、図６（ａ）に示すように、ソレノイド９１が非励磁状態の際には、プランジャ９２が突出状態にあり、幅方向移動部材８５が左側（手前側から見て左側）に位置する。
一方、図６（ｂ）に示すように、ソレノイド９１が励磁状態にされることによって、圧縮スプリング９３の付勢力に抗してプランジャ９２が没入状態となり、回動部材９６が回動中心軸７９回りに反時計回り方向に回動し、幅方向移動部材８５が右側（手前側から見て右側）に位置する。
【００３３】
図５に示すように、幅方向移動部材８５は、隣接する一対の嵌合穴形成面８７ａ，８７ｂを有している。一対の嵌合穴形成面８７ａ，８７ｂは、幅方向移動部材８５の奥側において鉛直に形成されている。
図３及び図５に示すように、各嵌合穴形成面８７ａ，８７ｂは、鈍角の頂点状の両嵌合穴形成面８７ａ，８７ｂの境界部分から離隔する方向に向かうにつれて徐々に手前側に向かうように斜面状に形成されている。
各嵌合穴形成面８７ａ，８７ｂは、ともに、幅方向移動部材８５が上述の右側の位置と左側の位置との中間の位置に位置づけられた際に手前側通路部６４の奥側の縁部よりも若干手前側に位置する寸法関係にある。
【００３４】
図５及び図７に示すように、各嵌合穴形成面８７ａ，８７ｂには、各遮断誘導部材８０ａ，８０ｂの各嵌合棒部８１ａ，８１ｂ（図３参照）に対応して、一対の長穴状の嵌合穴８９ａ，８９ｂが形成されている。
嵌合穴形成面８７ａに形成された一対の嵌合穴８９ａは、奥側から見た状態で（すなわち背後から見た状態で）右に向かうにつれて下から上に向かうように斜めに形成されている。嵌合穴形成面８７ｂに形成された一対の嵌合穴８９ｂは、奥側から見た状態で（すなわち背後から見た状態で）右に向かうにつれて上から下に向かうように斜めに形成されている。
そして、図７に示すように、各遮断誘導部材８０ａ，８０ｂの各嵌合棒部８１ａ，８１ｂは、各嵌合穴８９ａ，８９ｂに嵌合されている。
【００３５】
以上のため、図６（ａ）及び図７（ａ）に示すように、前述のようにソレノイド９１が非励磁状態であって幅方向移動部材８５が左側（手前側から見て左側であり、奥側から見て右側）に位置する際は、各遮断誘導部材８０ａ，８０ｂの各嵌合棒部８１ａ，８１ｂは、幅方向移動部材８５の各嵌合穴８９ａ，８９ｂの左端（奥側から見て左端）に位置する。そして、第１遮断誘導部材８０ａが下降した非遮断位置にあり、第２遮断誘導部材８０ｂが上昇した遮断位置に位置する（図８も参照）。
一方、図６（ｂ）及び図７（ｂ）に示すように、同じく前述のようにソレノイド９１が非励磁状態であって幅方向移動部材８５が右側（手前側から見て右側であり、奥側から見て左側）に位置する際は、各遮断誘導部材８０ａ，８０ｂの各嵌合棒部８１ａ，８１ｂは、幅方向移動部材８５の各嵌合穴８９ａ，８９ｂの右端（奥側から見て右端）に位置する。そして、第１遮断誘導部材８０ａが上昇した遮断位置に位置し、第２遮断誘導部材８０ｂが下降した非遮断位置に位置する（図９も参照）。
【００３６】
すなわち、図７〜図９に示すように、幅方向移動部材８５が左右方向に移動する際に、各遮断誘導部材８０ａ，８０ｂはガイド部６５ａ，６５ｂ及び他方の遮断誘導部材８０ｂ，８０ａによって左右方向の移動が阻止されて、斜めの長孔状の各嵌合穴８９ａ，８９ｂに沿って各嵌合棒部８１ａ，８１ｂが移動することによって、各遮断誘導部材８０ａ，８０ｂは上下動するのである。
また、図３及び図４に示すように、奥側通路部７４の手前側の縁部（奥側ガイド面７７ａ，７７ｂ）及び手前側通路部６４の奥側の縁部によって、両遮断誘導部材８０ａ，８０ｂが、この入賞装置３０の奥行方向における所定の位置に維持される。
このようにして、幅方向移動部材８５が幅方向（すなわち、左右方向）に移動することに伴って、各遮断誘導部材８０ａ，８０ｂが上下動する。
【００３７】
以上のように、図８に示すように、ソレノイド９１が非励磁状態の際には、両遮断誘導部材８０ａ，８０ｂが一般入賞口誘導状態にある。一般入賞口誘導状態とは、第１遮断誘導部材８０ａが非遮断位置にあり、第２遮断誘導部材８０ｂが遮断位置にある状態のことである。
一方、図９に示すように、ソレノイド９１が励磁状態にされることによって、両遮断誘導部材８０ａ，８０ｂが継続入賞口誘導状態となる。継続入賞口誘導状態とは、第１遮断誘導部材８０ａが遮断位置に位置し、第２遮断誘導部材８０ｂが非遮断位置に位置する状態のことである。
【００３８】
図１０及び図１１に示すように、第１遮断誘導部材８０ａ及び第２遮断誘導部材８０ｂは、開口部４５及び開口部６２を通して、次のように遊技者によって視認可能である。
すなわち、遮断位置にある状態の第１遮断誘導部材８０ａ／第２遮断誘導部材８０ｂの少なくとも一部が遊技者によって視認される。
一方、第１遮断誘導部材８０ａ／第２遮断誘導部材８０ｂが非遮断位置にある場合には、それらの上端部が通路部８４（その底面）とほぼ同一高さとなるようにそれらが下降するため、それらはほとんど視認されないが、上述のように遮断位置にある際にはその旨視認されることから、非遮断位置にあることが認識され得る。
【００３９】
入賞装置３０は、次のように制御される。
始動入賞口２２（図１参照）に１個のパチンコ球（図１では図示省略）が入る（入賞する）と、センター役物２０の表示部では、所定の時間の間、図柄が変動表示され、その後、最終的な図柄が静止表示される。静止表示された図柄には「当たり」と「はずれ」とがあり、「当たり」の場合（例えば「７７７」）には、図９に示すように、ソレノイド９１が励磁され、両遮断誘導部材８０ａ，８０ｂは継続入賞口誘導状態となる。
それとともに、ソレノイド５３（図３参照）が励磁され、入賞装置３０の開閉扉５０が開く（図２参照）。そして、図９に示すように、１個のパチンコ球Ｂが継続入賞口７２ｂに入る（入賞する）と、図８に示すように、それに基づいてソレノイド９１が非励磁状態となり、両遮断誘導部材８０ａ，８０ｂは一般入賞口誘導状態となる。９個のパチンコ球Ｂが一般入賞口７２ａに入る（入賞する）と、ソレノイド５３（図３参照）が非励磁状態となり、開閉扉５０が閉じる。
こうして、原則として、開閉扉５０が１回開いた状態において合計１０個のパチンコ球Ｂが入賞口（一般入賞口７２ａ及び継続入賞口７２ｂ）に入賞するようにされている。
なお、９個のパチンコ球Ｂが一般入賞口７２ａに入る前であっても、開閉扉５０が開状態となってから３０秒経過した場合は、その時点で開閉扉５０が閉じる。
【００４０】
上述のようにして開閉扉５０が閉じてから数秒後に、再度ソレノイド９１が励磁状態となって継続入賞口誘導状態となるとともに、開閉扉５０が再度開き、上述のことが繰り返される。
以上のようにして開閉扉５０が１５回開閉される。
なお、前回における開閉扉５０の開状態の際に何らかの不都合で継続入賞口７２ｂにパチンコ球Ｂが入賞しなかった場合は、開閉扉５０が一旦閉じた後に開閉扉５０は開かず、開閉扉５０の開閉回数が１５回未満でも開閉扉５０は閉じたままとなり、この「当たり」の状態は終了する。
【００４１】
次に、この入賞装置３０の作用効果について説明する。
図８に示すように、この入賞装置３０では、一般入賞口誘導状態においては、第１遮断誘導部材８０ａが非遮断位置にあり、第２遮断誘導部材８０ｂが遮断位置にある。このため、開口部４５を通って通路部８４（手前側通路部６４）を流れるパチンコ球Ｂは、第１遮断誘導部材８０ａによって一般入賞口７２ａに入ることが許容されるとともに、第２遮断誘導部材８０ｂによって継続入賞口７２ｂに入ることが阻止される。また、第２遮断誘導部材８０ｂの誘導面８８ｂにパチンコ球Ｂが接触した場合には、そのパチンコ球Ｂは、第２遮断誘導部材８０ｂの前面によって、斜め右方向（左側から右側に向かうにつれて手前側から奥側に向かう方向）、すなわち、ほぼ一般入賞口７２ａに向かう方向に案内される。こうして、パチンコ球Ｂは確実に一般入賞口７２ａに入賞する。
【００４２】
一方、図９に示すように、継続入賞口誘導状態においては、第１遮断誘導部材８０ａが遮断位置にあり、第２遮断誘導部材８０ｂが非遮断位置にある。このため、開口部４５を通って通路部８４（手前側通路部６４）を流れるパチンコ球Ｂは、第１遮断誘導部材８０ａによって一般入賞口７２ａに入ることが阻止されるとともに、第２遮断誘導部材８０ｂによって継続入賞口７２ｂに入ることが許容される。また、第１遮断誘導部材８０ａの誘導面８８ａにパチンコ球Ｂが接触した場合には、そのパチンコ球Ｂは、第１遮断誘導部材８０ａの誘導面８８ａによって、斜め左方向（右側から左側に向かうにつれて手前側から奥側に向かう方向）、すなわち、ほぼ継続入賞口７２ｂに向かう方向に案内される。こうして、パチンコ球Ｂは確実に継続入賞口７２ｂに入賞する。
【００４３】
以上のように、この入賞装置３０では、第１遮断誘導部材８０ａ及び第２遮断誘導部材８０ｂが一般入賞口誘導状態と継続入賞口誘導状態との間を変位することによって、パチンコ球Ｂが一般入賞口７２ａ及び継続入賞口７２ｂに振り分けられる。
そして、前述したように、一般入賞口誘導状態は、第１遮断誘導部材８０ａが下降した非遮断位置に位置し、第２遮断誘導部材８０ｂが上昇した遮断位置に位置する状態であり、継続入賞口誘導状態は、第１遮断誘導部材８０ａが上昇した遮断位置に位置し、第２遮断誘導部材８０ｂが下降した非遮断位置に位置する状態であって、第１遮断誘導部材８０ａ／第２遮断誘導部材８０ｂは、連動して、非遮断位置／遮断位置と遮断位置／非遮断位置との間を変位（上下動）する。
【００４４】
そして、第１遮断誘導部材８０ａ及び第２遮断誘導部材８０ｂは、開口部４５及び開口部６２を通して遊技者に視認され得る。
すなわち、図１０に示すように、一般入賞口誘導状態にある際には、開口部４５及び開口部６２を通して、第２遮断誘導部材８０ｂが上昇した遮断位置にあることが遊技者によって視認され、第１遮断誘導部材８０ａが下降した非遮断位置にあることが遊技者によって認識される。
一方、図１１に示すように、継続入賞口誘導状態にある際には、開口部４５及び開口部６２を通して、第１遮断誘導部材８０ａが上昇した非遮断位置にあることが遊技者によって視認され、第２遮断誘導部材８０ｂが下降した非遮断位置にあることが遊技者によって認識される。
【００４５】
このため、この入賞装置３０では、一般入賞口誘導状態及び継続入賞口誘導状態のうちのいずれの状態にあるか遊技者が視認しやすく、その点で遊技者に対して興趣を与えることができる。
【００４６】
なお、上記のものはあくまで本発明の一実施形態にすぎず、当業者の知識に基づき種々の変更を加えた態様で本発明を実施できることはもちろんである。
【００４７】
【発明の効果】
以上説明したように、本発明によれば、第１入賞口誘導状態及び第２入賞口誘導状態のいずれの状態にあるか（又は、いずれの状態になったか）について遊技者が容易に認識することが可能となり、その点で遊技者に対して興趣を与えることが可能となる。
【図面の簡単な説明】
【図１】本発明の一実施形態の入賞装置を有するパチンコ機の正面図である。
【図２】本発明の一実施形態の入賞装置を示す斜視図である。開閉扉は開状態である。
【図３】本発明の一実施形態の入賞装置の分解斜視図である。
【図４】本発明の一実施形態の入賞装置を示す横断面図である。両遮断誘導部材が一般入賞口誘導状態にある状態を示す。開閉扉は開状態である。
【図５】本発明の一実施形態の入賞装置のうちの幅方向移動部材及び両遮断誘導部材の移動機構を示す分解斜視図である。斜め後方から見た図である。
【図６】本発明の一実施形態の入賞装置のうちの幅方向移動部材及び両遮断誘導部材等の部分を取り出して示す斜視図である。（ａ）は両遮断誘導部材が一般入賞口誘導状態にある状態を示し、（ｂ）は両遮断誘導部材が継続入賞口誘導状態にある状態を示す。
【図７】本発明の一実施形態の入賞装置のうちの幅方向移動部材及び両遮断誘導部材等の部分を取り出して示す背面図である。（ａ）は両遮断誘導部材が一般入賞口誘導状態にある状態を示し、（ｂ）は両遮断誘導部材が継続入賞口誘導状態にある状態を示す。
【図８】本発明の一実施形態の入賞装置を示す斜視図である（取付板は省略されている）。両遮断誘導部材が一般入賞口誘導状態にある状態を示す。
【図９】本発明の一実施形態の入賞装置を示す斜視図である（取付板は省略されている）。両遮断誘導部材が継続入賞口誘導状態にある状態を示す。
【図１０】本発明の一実施形態の入賞装置を示す図である。斜め上方から見た図である。両遮断誘導部材が一般入賞口誘導状態にある状態を示す。開閉扉は開状態である。
【図１１】本発明の一実施形態の入賞装置を示す図である。斜め上方から見た図である。両遮断誘導部材が継続入賞口誘導状態にある状態を示す。開閉扉は開状態である。
【符号の説明】
３０　入賞装置
５０　開閉扉
７２ａ　一般入賞口（第１入賞口）
７２ｂ　継続入賞口（第２入賞口）
８０ａ　第１遮断誘導部材（第１遮断部材）
８０ｂ　第２遮断誘導部材（第２遮断部材）
８４　通路部
８８ａ，８８ｂ　誘導面
Ｂ　遊技球（パチンコ球）
【図１】
2004033482.tif 000003
【図２】
2004033482.tif 000004
【図３】
2004033482.tif 000005
【図４】
2004033482.tif 000006
【図５】
2004033482.tif 000007
【図６】
2004033482.tif 000008
【図７】
2004033482.tif 000009
【図８】
2004033482.tif 000010
【図９】
2004033482.tif 000011
【図１０】
2004033482.tif 000012
【図１１】
2004033482.tif 000013